【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
人工神経システムを検査するためにブレークポイント決定ユニットを用いるための方法であって、
前記人工神経システムの少なくとも一部を動作させることと、
前記人工神経システムにおける１つまたは複数の構成要素をモニタすることに少なくとも部分的に基づいて、条件が存在していることを検出するために、前記ブレークポイント決定ユニットを用いること、ここにおいて、前記ブレークポイント決定ユニットは、ブレークポイント・ニューロンとして実装される、と、
前記検出に少なくとも部分的に基づいて、前記人工神経システムの少なくとも前記一部の動作を保留すること、検査すること、修正すること、またはフラグ付けすることのうちの少なくとも１つと、
を備える方法。
【請求項２】
前記検出に少なくとも部分的に基づいて、前記条件のインジケーションを出力することと、
前記インジケーションに少なくとも部分的に基づいて、前記人工神経システムの少なくとも一部の動作を保留、検査、修正、またはフラグ付けのうちの少なくとも１つ行うと決定することと、
をさらに備える請求項１に記載の方法。
【請求項３】
前記条件の前記インジケーションは、割込み、フラグが設定されていること、またはステータス・レジスタにおける変化、のうちの少なくとも１つを備える、請求項２に記載の方法。
【請求項４】
前記ブレークポイント決定ユニットは、前記条件の前記インジケーションを出力するように構成される、請求項２に記載の方法。
【請求項５】
前記条件の前記インジケーションは、前記人工神経システムにおける前記１つまたは複数の構成要素の１つまたは複数の特性の警告を提供する、請求項４に記載の方法。
【請求項６】
前記ブレークポイント決定ユニットは、前記検出に少なくとも部分的に基づいてイベント送信機をトリガするように構成され、前記イベント送信機は、前記条件のインジケーションを出力するように構成される、請求項２に記載の方法。
【請求項７】
前記イベント送信機は、トリガされた後、前記条件の前記インジケーションを、現在の時間ステップの終了時、次の時間ステップの前、または、予め決定された数の時間ステップの経過後、直ちに出力するように構成される、請求項６に記載の方法。
【請求項８】
前記条件は、前記１つまたは複数の構成要素からの、スパイク・イベント、前記スパイク・イベントの予測、スパイク・イベントの結合、スパイク・イベントの前記結合の予測、またはこれらの任意の組合せ、のうちの少なくとも１つを備える、請求項１に記載の方法。
【請求項９】
前記条件は、特定の時間ウィンドウ内で生じるスパイク・イベントの前記結合を備える、請求項８に記載の方法。
【請求項１０】
ｉ）前記条件は、しきい値を満たすか、または超える前記ブレークポイント決定ユニットの状態を備える、
ｉｉ）前記条件は、スパイク・レート、または、前記スパイク・レートの予測に、少なくとも部分的に基づく、または
ｉｉｉ）前記条件は、前記１つまたは複数の構成要素の少なくとも１つのパラメータが、予め決定された量変化したことに少なくとも部分的に基づく、
のうちの１つを備える、請求項１に記載の方法。
【請求項１１】
前記ブレークポイント決定ユニットは、活性化された後に１つまたは複数のスパイク・イベントを出力するように構成された、請求項１に記載の方法。
【請求項１２】
前記検出の前に、モニタされるべき前記１つまたは複数の構成要素と前記条件で、前記ブレークポイント決定ユニットを構成すること、をさらに備える請求項１に記載の方法。
【請求項１３】
人工神経システムを検査するためにブレークポイント決定ユニットを用いるための装置であって、
前記人工神経システムの少なくとも一部を動作させ、
前記人工神経システムにおける１つまたは複数の構成要素をモニタすることに少なくとも部分的に基づいて、条件が存在していることを検出するために、前記ブレークポイント決定ユニットを用い、
前記検出に少なくとも部分的に基づいて、前記人工神経システムの前記少なくとも一部の動作の保留、検査、修正、またはフラグ付けのうちの少なくとも１つを行う、
ように構成された処理システムと、
前記処理システムに結合されたメモリと、
を備える装置。
【請求項１４】
人工神経システムを検査するためにブレークポイント決定ユニットを用いるための装置であって、
前記人工神経システムの少なくとも一部を動作させるための手段と、
前記人工神経システムにおける１つまたは複数の構成要素をモニタすることに少なくとも部分的に基づいて、条件が存在していることを検出するために、前記ブレークポイント決定ユニットを用いるための手段、ここにおいて、前記ブレークポイント決定ユニットは、ブレークポイント・ニューロンとして実装される、と、
前記検出に少なくとも部分的に基づいて、前記人工神経システムの前記少なくとも一部の動作の保留、検査、修正、またはフラグ付けのうちの少なくとも１つを行うための手段と、
を備える装置。
【請求項１５】
人工神経システムを検査するためにブレークポイント決定ユニットを用いるためのコンピュータ・プログラム製品であって、コンピュータ上で実行されると、
前記人工神経システムの少なくとも一部を動作させ、
前記人工神経システムにおける１つまたは複数の構成要素をモニタすることに少なくとも部分的に基づいて、条件が存在していることを検出するために、前記ブレークポイント決定ユニットを用い、ここにおいて、前記ブレークポイント決定ユニットは、ブレークポイント・ニューロンとして実装され、
前記検出に少なくとも部分的に基づいて、前記人工神経システムの前記少なくとも一部の動作の保留、検査、修正、またはフラグ付けのうちの少なくとも１つを行う、
ための命令を有する非一時的なコンピュータ読取可能な媒体を備える、コンピュータ・プログラム製品。
【手続補正２】
【補正対象書類名】明細書
【補正対象項目名】０１０３
【補正方法】変更
【補正の内容】
【０１０３】
[0117]特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
以下に、本願の出願当初の特許請求の範囲に記載された発明を付記する。
［Ｃ１］
人工神経システムを検査するためにブレークポイント決定ユニットを用いるための方法であって、
前記人工神経システムの少なくとも一部を動作させることと、
前記人工神経システムにおける１つまたは複数の構成要素をモニタすることに少なくとも部分的に基づいて、条件が存在していることを検出するために、前記ブレークポイント決定ユニットを用いることと、
前記検出に少なくとも部分的に基づいて、前記人工神経システムの少なくとも一部の動作の保留すること、検査すること、修正すること、またはフラグ付けすることのうちの少なくとも１つと、
を備える方法。
［Ｃ２］
前記検出に少なくとも部分的に基づいて、前記条件のインジケーションを出力することと、
前記インジケーションに少なくとも部分的に基づいて、前記人工神経システムの少なくとも一部の動作を保留、検査、修正、またはフラグ付けのうちの少なくとも１つ行うと決定することと、
をさらに備えるＣ１に記載の方法。
［Ｃ３］
前記条件のインジケーションは、割込み、フラグが設定されていること、またはステータス・レジスタにおける変化、のうちの少なくとも１つを備える、Ｃ２に記載の方法。
［Ｃ４］
前記ブレークポイント決定ユニットは、前記条件のインジケーションを出力するように構成される、Ｃ２に記載の方法。
［Ｃ５］
前記条件のインジケーションは、前記人工神経システムにおける１つまたは複数の構成要素の１つまたは複数の特性の警告を提供する、Ｃ４に記載の方法。
［Ｃ６］
前記ブレークポイント決定ユニットは、前記検出に少なくとも部分的に基づいてイベント送信機をトリガするように構成され、前記イベント送信機は、前記条件のインジケーションを出力するように構成される、Ｃ２に記載の方法。
［Ｃ７］
前記イベント送信機は、トリガされた後、条件のインジケーションを、現在の時間ステップの終了時、次の時間ステップの前、または、予め決定された数の時間ステップの経過後、直ちに出力するように構成される、Ｃ６に記載の方法。
［Ｃ８］
前記条件は、前記１つまたは複数の構成要素からの、スパイク・イベント、スパイク・イベントの予測、スパイク・イベントの結合、スパイク・イベントの結合の予測、またはこれらの任意の組合せ、のうちの少なくとも１つを備える、Ｃ１に記載の方法。
［Ｃ９］
前記条件は、特定の時間ウィンドウ内で生じるスパイク・イベントの組合せを備える、Ｃ８に記載の方法。
［Ｃ１０］
前記条件は、しきい値を満たすか、または超える前記ブレークポイント決定ユニットの状態を備える、Ｃ１に記載の方法。
［Ｃ１１］
前記条件は、スパイク・レート、または、前記スパイク・レートの予測に、少なくとも部分的に基づく、Ｃ１に記載の方法。
［Ｃ１２］
前記条件は、前記１つまたは複数の構成要素の少なくとも１つのパラメータが、予め決定された量変化したことに少なくとも部分的に基づく、Ｃ１に記載の方法。
［Ｃ１３］
前記ブレークポイント決定ユニットは、人工ニューロンと同じ機能のうちの少なくとも幾つかを有する、Ｃ１に記載の方法。
［Ｃ１４］
前記ブレークポイント決定ユニットは、活性化された後に１つまたは複数のスパイク・イベントを出力するように構成された、Ｃ１３に記載の方法。
［Ｃ１５］
前記検出の前に、モニタされるべき前記１つまたは複数の構成要素と前記条件で、前記ブレークポイント決定ユニットを構成すること、をさらに備えるＣ１に記載の方法。
［Ｃ１６］
人工神経システムを検査するためにブレークポイント決定ユニットを用いるための装置であって、
前記人工神経システムの少なくとも一部を動作させ、
前記人工神経システムにおける１つまたは複数の構成要素をモニタすることに少なくとも部分的に基づいて、条件が存在していることを検出するために、前記ブレークポイント決定ユニットを用い、
前記検出に少なくとも部分的に基づいて、前記人工神経システムの少なくとも一部の動作の保留、検査、修正、またはフラグ付けのうちの少なくとも１つを行う、
ように構成された処理システムと、
前記処理システムに結合されたメモリと、
を備える装置。
［Ｃ１７］
前記処理システムはさらに、前記検出に少なくとも部分的に基づいて、前記条件のインジケーションを出力し、
前記インジケーションに少なくとも部分的に基づいて、前記人工神経システムの少なくとも一部の動作の保留、検査、修正、またはフラグ付けのうちの少なくとも１つを行うと決定する、
ように構成された、Ｃ１６に記載の装置。
［Ｃ１８］
前記条件のインジケーションは、割込み、フラグが設定されていること、またはステータス・レジスタにおける変化、のうちの少なくとも１つを備える、Ｃ１７に記載の装置。
［Ｃ１９］
前記ブレークポイント決定ユニットは、前記条件のインジケーションを出力するように構成される、Ｃ１７に記載の装置。
［Ｃ２０］
前記条件のインジケーションは、前記人工神経システムにおける１つまたは複数の構成要素の１つまたは複数の特性の警告を提供する、Ｃ１９に記載の装置。
［Ｃ２１］
前記ブレークポイント決定ユニットは、前記検出に少なくとも部分的に基づいてイベント送信機をトリガするように構成され、前記イベント送信機は、前記条件のインジケーションを出力するように構成される、Ｃ１７に記載の装置。
［Ｃ２２］
前記イベント送信機は、トリガされた後、条件のインジケーションを、現在の時間ステップの終了時、次の時間ステップの前、または、予め決定された数の時間ステップの経過後、直ちに出力するように構成された、Ｃ２１に記載の装置。
［Ｃ２３］
前記条件は、前記１つまたは複数の構成要素からの、スパイク・イベント、スパイク・イベントの予測、スパイク・イベントの結合、スパイク・イベントの結合の予測、またはこれらの任意の組合せ、のうちの少なくとも１つを備える、Ｃ１６に記載の装置。
［Ｃ２４］
前記条件は、特定の時間ウィンドウ内で生じるスパイク・イベントの組合せを備える、Ｃ２３に記載の装置。
［Ｃ２５］
前記条件は、しきい値を満たすか、または超える前記ブレークポイント決定ユニットの状態を備える、Ｃ１６に記載の装置。
［Ｃ２６］
前記条件は、スパイク・レート、または、前記スパイク・レートの予測に、少なくとも部分的に基づく、Ｃ１６に記載の装置。
［Ｃ２７］
前記条件は、前記１つまたは複数の構成要素の少なくとも１つのパラメータが、予め決定された量変化したことに少なくとも部分的に基づく、Ｃ１６に記載の装置。
［Ｃ２８］
前記ブレークポイント決定ユニットは、人工ニューロンと同じ機能のうちの少なくとも幾つかを有する、Ｃ１６に記載の装置。
［Ｃ２９］
前記ブレークポイント決定ユニットは、活性化された後に１つまたは複数のスパイク・イベントを出力するように構成された、Ｃ２８に記載の装置。
［Ｃ３０］
前記処理システムはさらに、前記検出の前に、モニタされるべき前記１つまたは複数の構成要素と前記条件で、前記ブレークポイント決定ユニットを構成するように適合されたＣ１６に記載の装置。
［Ｃ３１］
人工神経システムを検査するためにブレークポイント決定ユニットを用いるための装置であって、
前記人工神経システムの少なくとも一部を動作させるための手段と、
前記人工神経システムにおける１つまたは複数の構成要素をモニタすることに少なくとも部分的に基づいて、条件が存在していることを検出するために、前記ブレークポイント決定ユニットを用いるための手段と、
前記検出に少なくとも部分的に基づいて、前記人工神経システムの少なくとも一部の動作の保留、検査、修正、またはフラグ付けのうちの少なくとも１つを行うための手段と、
を備える装置。
［Ｃ３２］
人工神経システムを検査するためにブレークポイント決定ユニットを用いるためのコンピュータ・プログラム製品であって、
前記人工神経システムの少なくとも一部を動作させ、
前記人工神経システムにおける１つまたは複数の構成要素をモニタすることに少なくとも部分的に基づいて、条件が存在していることを検出するために、前記ブレークポイント決定ユニットを用い、
前記検出に少なくとも部分的に基づいて、前記人工神経システムの少なくとも一部の動作の保留、検査、修正、またはフラグ付けのうちの少なくとも１つを行う、
ための実行可能な命令を有する非一時的なコンピュータ読取可能な媒体を備える、コンピュータ・プログラム製品。